(57)【特許請求の範囲】
【請求項１】
上位装置に対して、親機と子機とからなるコードレス電話装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムにおいて、
前記親機は、
他の親機から送信される当該他の親機と対になる前記子機に対する送信信号を受信する受信手段と、
自機と対になる前記子機に対する送信信号を送信する送信手段と、
前記受信手段で受信された前記送信信号を基準信号として用いて、前記送信手段を通じて送信される自機からの前記送信信号の位相を合わせ込む同期取得手段と、
前記受信手段で受信された前記送信信号の内、所定の前記親機からの前記送信信号を、前記同期取得手段で前記基準信号として用いるように制御する制御手段と、
前記受信手段で受信した複数の前記送信信号のそれぞれから、当該送信信号に含まれる送信元である前記他の親機の識別情報を抽出する抽出手段と、
前記抽出手段で抽出された前記他の親機の前記識別情報と、自機の識別情報とを対応付けた対応付け情報を、前記上位装置に通知する通知手段と、
前記上位装置から提供される、前記同期取得手段で前記基準信号として用いる前記送信信号の送信元の親機の識別情報を取得する取得手段と
を備え、
前記制御手段は、前記取得手段で取得された前記識別情報により特定される前記親機からの送信信号を、前記同期取得手段で前記基準信号として用いるように制御するものであり、
前記上位装置は、
前記親機の前記通知手段を通じて通知される前記対応付け情報を受け付ける受付手段と、
前記受付手段を通じて受け付けた前記対応付け情報を記憶保持する対応付け情報管理手段と、
前記対応付け情報管理手段で管理されている対応付け情報に基づいて、前記同期取得手段で前記基準信号として用いる前記送信信号の送信元の親機を選択する選択手段と、
前記選択手段で選択された親機の識別情報を、前記同期取得手段で前記基準信号として用いる前記送信信号の送信元の親機の前記識別情報として、当該識別情報により特定される前記他の親機からの送信信号を受信可能な前記親機に提供する提供手段と
を備えることを特徴とする電話システム。
【請求項２】
請求項１に記載の電話システムであって、
前記親機は、
前記同期取得手段で自機からの前記送信信号の位相を前記基準信号に合わせ込む同期取得処理が終了した後に、自機の識別情報を前記上位装置に通知する同期情報通知手段と、
前記上位装置から提供される前記同期取得手段で前記基準信号として用いる前記送信信号の送信元の親機とすることができる同期取得済みの親機の識別情報を取得する同期取得済み識別情報取得手段と
を備え、
前記制御手段は、前記同期取得済み識別情報取得手段で取得された前記識別情報により特定される前記親機からの送信信号が自機で受信可能である場合に、当該送信信号を前記同期取得手段で前記基準信号として用いるように制御することができるものであり、
前記上位装置は、
前記親機の前記同期情報通知手段を通じて通知される前記識別情報を受け付ける同期情報受付手段と、
前記同期情報受付手段を通じて受け付けた前記識別情報を、自機に接続された複数の前記親機に提供する同期情報提供手段と
を備えることを特徴とする電話システム。
【請求項３】
親機と子機とからなり、上位装置に対して、複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムのコードレス電話装置であって、
前記上位装置は、前記親機から通知される対応付け情報を受け付ける受付手段と、前記受付手段を通じて受け付けた前記対応付け情報を記憶保持する対応付け情報管理手段と、前記対応付け情報管理手段で管理されている前記対応付け情報に基づいて、基準信号として用いる送信信号の送信元の親機を選択する選択手段と、前記選択手段で選択された親機の識別情報を、前記基準信号として用いる前記送信信号の送信元の親機の前記識別情報として、当該識別情報により特定される親機からの送信信号を受信可能な前記親機に提供する提供手段とを備えるものであり、
前記親機は、
他の親機から送信される当該他の親機と対になる前記子機に対する送信信号を受信する受信手段と、
自機と対になる前記子機に対する送信信号を送信する送信手段と、
前記受信手段で受信された前記送信信号を基準信号として用いて、前記送信手段を通じて送信される自機からの前記送信信号の位相を合わせ込む同期取得手段と、
前記受信手段で受信された前記送信信号の内、所定の前記親機からの前記送信信号を、前記同期取得手段で前記基準信号として用いるように制御する制御手段と、
前記受信手段で受信した複数の前記送信信号のそれぞれから、当該送信信号に含まれる送信元である前記他の親機の識別情報を抽出する抽出手段と、
前記抽出手段で抽出された前記他の親機の前記識別情報と、自機の識別情報とを対応付けた前記対応付け情報を、前記上位装置に通知する通知手段と、
前記上位装置から提供される、前記同期取得手段で前記基準信号として用いる前記送信信号の送信元の親機の識別情報を取得する取得手段と
を備え、
前記制御手段は、前記取得手段で取得された前記識別情報により特定される前記親機からの送信信号を、前記同期取得手段で前記基準信号として用いるように制御するものである
ことを特徴とするコードレス電話装置。
【請求項４】
親機と子機とからなるコードレス電話装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムの上位装置であって、
前記親機は、他の親機から当該他の親機と対になる前記子機に対する送信信号を受信する受信手段と、自機と対になる前記子機に対する送信信号を送信する送信手段と、前記受信手段で受信された前記送信信号を基準信号として用いて、前記送信手段を通じて送信される自機からの前記送信信号の位相を前記基準信号に合わせ込むように動作する同期取得手段と、前記受信手段で受信された前記送信信号の内、所定の前記親機からの前記送信信号を、前記同期取得手段で前記基準信号として用いるように制御する制御手段と、前記受信手段で受信した複数の前記送信信号のそれぞれから、当該送信信号に含まれる送信元である前記他の親機の識別情報を抽出する抽出手段と、前記抽出手段で抽出された前記他の親機の前記識別情報と、自機の識別情報とを対応付けた対応付け情報を、前記上位装置に通知する通知手段と、前記上位装置から提供される、前記同期取得手段で前記基準信号として用いる前記送信信号の送信元の親機の識別情報を取得する取得手段とを備え、前記制御手段は、前記取得手段で取得された前記識別情報により特定される前記親機からの送信信号を、前記同期取得手段で前記基準信号として用いるように制御するものであり、
前記親機の前記通知手段を通じて通知される前記対応付け情報を受け付ける受付手段と、
前記受付手段を通じて受け付けた前記対応付け情報を記憶保持する対応付け情報管理手段と、
前記対応付け情報管理手段で管理されている対応付け情報に基づいて、前記同期取得手段で前記基準信号として用いる前記送信信号の送信元の親機を選択する選択手段と、
前記選択手段で選択された親機の識別情報を、前記同期取得手段で前記基準信号として用いる前記送信信号の送信元の親機の前記識別情報として、当該識別情報により特定される前記他の親機からの送信信号を受信可能な前記親機に提供する提供手段と
を備えることを特徴とする上位装置。
【発明の詳細な説明】
【技術分野】
【０００１】
この発明は、ＴＤＭＡ（Time Division Multiple Access；時分割多元接続）／ＴＤＤ（Time Division Duplex；時分割複信）方式が適用されたデジタルコードレス電話装置を含んで構成される電話システム、当該電話システムで用いられる装置及び方法に関する。
【背景技術】
【０００２】
いわゆる主装置に対して複数のコードレス電話装置が収容される電話システムにおいて、当該複数のコードレス電話装置間においては、通信処理に関して同期をとる（同期を合わせる）必要がある。これは、各コードレス電話装置間において、混信や雑音などの発生を防止し、通信品質を良好に保つためである。このため、従来は、例えば後に記す特許文献１に説明されているように、主装置からこれに有線接続されるコードレス電話装置の親機に対して提供する信号に基づいて、コードレス電話装置間の同期を合わせることが行われている。
【０００３】
例えば、図１６（Ａ）に示すように、主装置１００とコードレス電話装置の親機ＢＳＡ１，ＢＳＢ１とが専用ＩＣを介して有線接続されている場合について考える。この場合には、親機ＢＳＡ１，ＢＳＢ１のそれぞれは、主装置１の基準発振器１０１からの基準信号、或いは、当該基準信号に応じた信号の供給を受けることによって、共通のタイミングを提供する同期信号を形成し、これを利用できる。
【０００４】
また、図１６（Ｂ）に示すように、主装置２００とコードレス電話装置の親機ＢＳＡ１，ＢＳＢ１とが文字「ＰＨＹ」で示したように物理層（アナログ部）を通じて接続されている場合を考える。この場合には、コードレス電話装置の親機ＢＳＡ１，ＢＳＢ１に対して電力を供給する給電ハブ３００を設ける。そして、給電ハブ３００が備える基準発振器３０１からの同期信号を、コードレス電話装置の親機ＢＳＡ１，ＢＳＢ１に対して供給することにより、親機ＢＳＡ１と親機ＢＳＢ１との間で同期を合わせることができる。
【先行技術文献】
【特許文献】
【０００５】
【特許文献１】特開２０００−０２３２６５号公報
【発明の概要】
【発明が解決しようとする課題】
【０００６】
近年、主装置やＳＩＰサーバなどの通信制御装置に対して、親機と子機とが無線接続されるコードレス電話装置を接続して構成するビジネスホンシステム（ボタン電話システム）が提供されるようになってきている。コードレス電話装置を構成する親機と子機との間では、ＤＥＣＴ（Digital Enhanced Cordless Telecommunication）規格の通信方式が用いられている場合が多くなってきている。ＤＥＣＴ規格においては、親機から子機へのダウンリンクでの通信方式は時分割多重方式を使用する時分割複信方式であること、子機から親機へのアップリンクの通信方式は時分割多元接続方式を使用する時分割複信方式であることが定められている。また、ＤＥＣＴ規格において、使用周波数帯は、従来のコードレス電話装置の場合の「２．４ＧＨｚ帯」とは異なる「１．９ＧＨｚ帯」を使用すること、チャンネル数は、最大５チャンネルであることなどが定められている。
【０００７】
また、ＤＥＣＴ規格では、符号化データの１チャンネルにおける１フレームは１０ミリ秒（ｍｓ）であり、図１７に示すように、２４タイムスロットに分割されている。なお、以下においては、タイムスロットを単にスロットと記載する。そして、１フレームの前半の１／２フレーム期間の１２スロットＳ０〜Ｓ１１は、親機から子機へのダウンリンクに用いられ、後半の１／２フレーム期間の１２スロットＳ１２〜Ｓ２３は、子機から親機へのアップリンクに用いられる。
【０００８】
そして、ＤＥＣＴ規格のコードレス電話装置がＩＰ電話機であり、主装置がＩＰ電話機を収容できる機能を有するものである場合、主装置とＩＰ電話機である当該コードレス電話装置とはＬＡＮ（Local Area Network）で接続される。ＩＰ電話は、インターネットで利用されるパケット通信プロトコルのＩＰ（Internet Protocol）を利用して提供される電話サービスである。そして、ＩＰ電話に対応するＩＰ電話機は、音声をデジタルデータに変換し、パケットと呼ばれる単位に分割した上で、ＬＡＮやＩＰネットワーク（インターネット）を経由して通話の相手先まで音声データを送ることで音声通話を可能にする。
【０００９】
このようにＩＰ電話機として利用可能なＤＥＣＴ規格のコードレス電話装置では、同期信号として精度（ジッタ）が０．５マイクロ秒以下のパケットを送る必要がある。しかし主装置とＤＥＣＴ規格のコードレス電話装置とを接続するＬＡＮ回線上を、０．５マイクロ秒以下の精度でパケットを送信できる規格が現時点において提供されていない。近年では、ＩＥＥＥ１５８８という同期信号の精度が１マイクロ秒のパケットが送れる規格が存在する。しかし、ＤＥＣＴ規格のコードレス電話装置に必要な同期信号の精度である０．５マイクロ秒には及ばないし、そのような高精度にパケットの送受が可能な規格の実現にはコストがかかる。なお、ＩＥＥＥは、「The Institute of Electrical and Electronics Engineers, Inc.」の略称である。
【００１０】
このため、主装置などの通信制御装置とコードレス電話装置の親機との間にＬＡＮ回線とは別のローカルな有線を接続し、従来の方式で同期信号を送れるようにしてコードレス電話装置間の同期を取る必要がある。しかし、通信制御装置とコードレス電話装置の親機との接続に手間がかかるし、配線のトラブルにより同期が取れないといった不都合が生じる可能性がある。また、別のローカルな有線を接続するため、汎用性がなくなってしまう。
【００１１】
以上のことに鑑み、この発明は、主装置やＳＩＰサーバといった通信制御装置とＩＰ電話として用いられるＴＤＭＡ／ＴＤＤ方式のコードレス電話装置とを、コードレス電話装置間の同期維持のために有線接続することなく、各コードレス電話装置間で同期を取ることができるようにすることを目的とする。
【課題を解決するための手段】
【００１２】
上記課題を解決するため、請求項１に記載の発明の電話システムは、
上位装置に対して、親機と子機とからなるコードレス電話装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムにおいて、
前記親機は、
他の親機から送信される当該他の親機と対になる前記子機に対する送信信号を受信する受信手段と、
自機と対になる前記子機に対する送信信号を送信する送信手段と、
前記受信手段で受信された前記送信信号を基準信号として用いて、前記送信手段を通じて送信される自機からの前記送信信号の位相を合わせ込む同期取得手段と、
前記受信手段で受信された前記送信信号の内、所定の前記親機からの前記送信信号を、前記同期取得手段で前記基準信号として用いるように制御する制御手段と、
前記受信手段で受信した複数の前記送信信号のそれぞれから、当該送信信号に含まれる送信元である前記他の親機の識別情報を抽出する抽出手段と、
前記抽出手段で抽出された前記他の親機の前記識別情報と、自機の識別情報とを対応付けた対応付け情報を、前記上位装置に通知する通知手段と、
前記上位装置から提供される、前記同期取得手段で前記基準信号として用いる前記送信信号の送信元の親機の識別情報を取得する取得手段と
を備え、
前記制御手段は、前記取得手段で取得された前記識別情報により特定される前記親機からの送信信号を、前記同期取得手段で前記基準信号として用いるように制御するものであり、
前記上位装置は、
前記親機の前記通知手段を通じて通知される前記対応付け情報を受け付ける受付手段と、
前記受付手段を通じて受け付けた前記対応付け情報を記憶保持する対応付け情報管理手段と、
前記対応付け情報管理手段で管理されている対応付け情報に基づいて、前記同期取得手段で前記基準信号として用いる前記送信信号の送信元の親機を選択する選択手段と、
前記選択手段で選択された親機の識別情報を、前記同期取得手段で前記基準信号として用いる前記送信信号の送信元の親機の前記識別情報として、当該識別情報により特定される前記他の親機からの送信信号を受信可能な前記親機に提供する提供手段と
を備えることを特徴とする。
【００１４】
このように、コードレス電話装置の親機は、同じ上位装置に収容される複数のコードレス電話装置の親機間で、他の親機から無線送信される送信信号に基づいて、自機から送信する送信信号の同期合わせを行うことができる。このため、上位装置と親機とを同期合わせのための信号の送受信用に有線接続することもない。そして、各コードレス電話装置間において、混信や雑音などの発生を防止し、通信品質を劣化させないようにできる。
【発明の効果】
【００１５】
この発明によれば、主装置やＳＩＰサーバといった通信制御装置とＩＰ電話として用いられるＴＤＭＡ／ＴＤＤ方式のコードレス電話装置とを、コードレス電話装置間の同期維持のために有線接続することなく、各コードレス電話装置間で同期を取ることができる。
【図面の簡単な説明】
【００１６】
【図１】この発明による電話システムの第１の実施形態の全体の概要を説明するためのブロック図である。
【図２】この発明による電話システムの第１の実施形態の一部を構成する主装置の詳細構成例を示すブロック図である。
【図３】この発明による電話通信システムの第１の実施形態の一部を構成する親機の詳細構成例を示すブロック図である。
【図４】図３に示した親機のＰＬＬ部４４２３部分の構成を説明するためのブロック図である。
【図５】この発明による電話システムの第１の実施形態の一部を構成する子機の詳細構成例を示すブロック図である。
【図６】ＰＬＬ部４４２３の動作を説明するための図である。
【図７】電話システム１０においての同期合わせ処理の詳細を説明するためのシーケンス図である。
【図８】この発明による電話システムの第２の実施形態の全体の概要を説明するためのブロック図である。
【図９】この発明による電話システムの第２の実施の形態の一部を構成する主装置１Ａの詳細構成例を示すブロック図である。
【図１０】この発明による電話通信システムの第２の実施形態の一部を構成する親機の詳細構成例を示すブロック図である。
【図１１】管理テーブル部１５の格納データの例を説明するための図である。
【図１２】グループ内の親機テーブルの格納データの例とスキャニング情報テーブルの格納データの例を説明するための図である。
【図１３】コードレス電話装置２１Ａ〜２６Ａの配置関係の例を示す図である。
【図１４】第２の実施の形態の電話システム１０Ａにおいて、同期合わせを行う場合の処理を説明するためのシーケンス図である。
【図１５】図１４に続くシーケンス図である。
【図１６】主装置とコードレス電話装置の親機との従来の接続方式を説明するための図である。
【図１７】ＤＥＣＴ規格のスロットについて説明するための図である。
【発明を実施するための形態】
【００１７】
以下、図を参照しながら、この発明のシステム、装置、方法の一実施の形態について説明する。以下に説明する実施の形態においては、この発明を例えば会社などの構内に設けられるビジネスホンシステムと呼ばれる電話システムに適用した場合を例にして説明する。
【００１８】
［第１の実施の形態］
［無線通信システムの構成例；図１］
図１は、この発明による無線通信システムの第１の実施形態としての電話システム１０の全体の構成例を示すブロック図である。この例の電話システム１０においては、上位装置（通信制御装置）の例としての主装置１に対して、内線電話装置として、複数のコードレス電話装置２１、２２、・・・、２ｎ（ｎは２以上の整数。以下同じ）が接続されている。コードレス電話装置２１〜２ｎのそれぞれは、コードレス通信装置の例であり、親機としてのベースセットＢＳ１、ＢＳ２、・・・、ＢＳｎのそれぞれと、子機としてのハンドセットＨＳ１、ＨＳ２、・・・、ＨＳｎのそれぞれとからなり、親機ＢＳ１〜ＢＳｎのそれぞれと、子機ＨＳ１〜ＨＳｎのそれぞれとは、無線接続される。
【００１９】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置２１、２２、・・・、２ｎのみではなく、通常のビジネスホンと同様に、デジタルボタン電話端末も接続することも可能である。
【００２０】
そして、この実施形態では、コードレス電話装置２１〜２ｎは、ＩＰ電話機であり、主装置１とはＬＡＮ回線を通じて接続されている。また、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行うようにしている。
【００２１】
主装置１は、１又は複数の電話回線Ｌ１〜Ｌｍ（ｍは１以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線のＬＡＮ回線で接続されているが、無線のＬＡＮ回線であってもよい。主装置１は、複数のコードレス電話装置２１〜２ｎについての呼制御及び回線交換制御、その他のビジネスホンとしての制御を行う。
【００２２】
コードレス電話装置２１〜２ｎの親機ＢＳ１〜ＢＳｎのそれぞれは、ＤＥＣＴ規格のデジタルコードレス電話の単位通信期間である１フレーム（１０ミリ秒（ｍｓ））の周期の同期信号としてのフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。
【００２３】
親機ＢＳ１〜ＢＳｎのそれぞれは、フレーム同期信号を生成し、その生成したフレーム同期信号に基づいて、子機ＨＳ１〜ＨＳｎとの間で、１フレーム期間の複数のスロットの内の一つを用いて無線通信を行うように制御する。
【００２４】
しかし、親機ＢＳ１〜ＢＳｎのそれぞれにおいては、フレーム同期を適切に合わせるためには、精度（ジッタ）が０．５マイクロ秒の以下のパケットを主装置１から各コードレス電話装置２１〜２ｎの親機ＢＳ１〜ＢＳｎに送信しなければならない。上述もしたように、精度（ジッタ）が０．５マイクロ秒以下のパケットを送信することは、現時点のＬＡＮ接続においては難しい。
【００２５】
そこで、この第１の実施の形態のビジネスホンシステムの親機ＢＳ１〜ＢＳｎは、ＥＥＰＲＯＭ（Electrically Erasable Programmable Read-Only Memory）４１１、一致検出部４４２２、ＰＬＬ部４４２３を備え、これらが協働することにより、親機ＢＳ１〜ＢＳｎ間において無線によりフレーム同期を合わせることができるようにしている。
【００２６】
具体的には、この第１の実施の形態のビジネスホンシステムでは、（１）主装置１に収容されるコードレス電話装置２１〜２ｎの内、１つをマスターコードレス電話装置とし、残りのコードレス電話装置をスレーブコードレス電話装置とする。（２）各コードレス電話装置の親機ＢＳ１〜ＢＳｎには、少なくともマスターコードレス電話装置の親機の識別ＩＤ（無線ＩＤ）をＥＥＰＲＯＭ４１１に予め登録しておく。（３）主装置１からマスターコードレス電話装置の親機とスレーブコードレス電話装置の親機を活性化（パワーオン）させる。
【００２７】
（４）マスターコードレス電話装置の親機は、図１７を用いて説明したスロットＳ０〜Ｓ１１の範囲で電波を定期的（１０ミリ秒ごと）に放射する。（５）各スレーブコードレス電話装置の親機は、この段階では子機に対して電波を放射せず、マスターコードレス電話装置の親機から放射された電波を受信し、一致検出部４４２２を機能させて、自機のＥＥＰＲＯＭ４１１に登録されているマスターコードレス電話装置の親機の識別ＩＤと受信した当該電波から得られた識別ＩＤとが一致するか否かを照合する。
【００２８】
（６）一致したら受信している電波はマスターコードレス電話装置の親機からの電波であると判断し、受信したマスターコードレス電話装置の親機からの電波と、自機から放射する電波との位相合わせを行うためにＰＬＬ（Phase Locked Loop）部４４２３の動作を開始させる。具体的には、後述もするが比較対象の電波の各フレーム内のスロットで送信される信号のＡフィールド（A-Field）と呼ばれるフィールドの末尾の位置の差（位相カウンタ値）を検出する。
【００２９】
そして、（７）自機から放射する電波の位相を、マスターコードレス電話装置の親機から放射された電波の位相に合わせるように、フレーム同期信号ＦＬの位相をずらすように制御する。この場合、１００ミリ秒程度の期間において、マスターコードレス電話装置の親機からの電波をチェックし、マスターコードレス電話装置の親機からの電波であることを確実に検知してから、位相の合わせ込を行うようにすることが望ましい。この後、位相差（位相カウンタの値）が閾値以内になったら、無線フレーム間の同期が取れたと判断し、ＰＬＬ部をロックし、子機に対して電波の放射を行う。
【００３０】
このように、この実施のコードレス電話装置の親機ＢＳ１〜ＢＳｎにおいては、マスターコードレス電話装置の親機から放射された電波を基準信号（リファレンス信号）として用いて、スレーブコードレス電話装置の親機から放射する電波の位相を合わせ込む。これにより、従来のように、主装置１と各コードレス電話装置２１〜２ｎの親機ＢＳ１〜ＢＳｎとの間を、同期を取るために物理的な線を接続しなくても、親機ＢＳ１〜ＢＳｎ間において同期を取ることを可能にしている。
【００３１】
［主装置１の構成例；図２］
図２は、主装置１の構成例を示すブロック図である。図２に示すように、主装置１は、電話回線Ｌ１〜Ｌｍが接続される回線インターフェース１１と、コンピュータを搭載して、主装置１の全体を制御するための制御回路１２と、回線ＬＳＩ（Large  Scale  Integrated  Circuit）部１３と、基準発振器１４とを備えて構成されている。
【００３２】
回線インターフェース１１は、制御回路１２からの制御により、回線Ｌ１〜Ｌｍからの音声信号（受話音声信号）は、回線ＬＳＩ部１３に供給し、回線からの呼制御信号などの制御信号は、制御回路１２に供給する。また、回線インターフェース１１は、制御回路１２からの制御により、回線ＬＳＩ部１３からの音声信号（送話音声信号）は、回線Ｌ１〜Ｌｍを通じて相手方に送信し、制御回路１２からの呼制御信号などの制御信号も、回線Ｌ１〜Ｌｍを通じて相手方に送信する。
【００３３】
回線ＬＳＩ部１３は、ｎ個の内線電話装置に対応して、ｎ個の内線処理回路１３１，１３２，・・・，１３ｎと、タイミング信号生成部１３０を備える。
【００３４】
タイミング信号生成部１３０には、水晶振動子を用いた高精度の基準発振器１４からの基準クロック信号から伝送用クロック信号ＣＫ及び多重化／分割化用タイミング信号ＴＭを生成し、ｎ個の内線処理回路１３１〜１３ｎに供給する。
【００３５】
ｎ個の内線処理回路１３１〜１３ｎは、全く同一の構成を備えるもので、それぞれ、音声信号処理部３１と、制御信号処理部３２と、多重化／分割化処理部３４とからなる。
【００３６】
音声信号処理部３１は、回線インターフェース１１に接続されると共に、多重化／分割化処理部３４に接続されており、回線インターフェース１１からの受話音声信号及び多重化／分割化処理部３４からの送話音声信号の処理回路である。この音声信号処理部３１には、タイミング信号生成部１３０からの伝送用クロック信号ＣＫが供給されている。
【００３７】
制御信号処理部３２は、制御回路１２の制御信号入出力端に接続されると共に、多重化／分割化処理部３４に接続されており、発信時及び着信時、また、終話時などにおける呼制御信号などの制御信号（主装置１からコードレス電話装置への制御信号と、コードレス電話装置から主装置１への制御信号の両方）の処理回路である。この制御信号処理部３２にも、タイミング信号生成部１３０からの伝送用クロック信号ＣＫが供給されている。
【００３８】
多重化／分割化処理部３４は、音声信号処理部３１、制御信号処理部３２に接続されると共に、コードレス電話装置２１〜２ｎの親機ＢＳ１〜ＢＳｎのそれぞれに接続される。そして、多重化／分割化処理部３４は、タイミング信号生成部１３０からのタイミング信号ＴＭに基づいて、音声信号処理部３１からの音声信号と、制御信号処理部３２からの制御信号とを多重化（時分割多重）して多重化信号を生成し、その生成した多重化信号を親機ＢＳ１〜ＢＳｎのそれぞれに供給する。また、多重化／分割化処理部３４は、タイミング信号生成部１３０からのタイミング信号ＴＭに基づいて、親機ＢＳ１〜ＢＳｎのそれぞれからの多重化信号を音声信号と制御信号とに分割して、音声信号は音声信号処理部３１に、制御信号は制御信号処理部３２に、それぞれ供給する。なお。多重化／分割化処理部３４は、送出する信号のパケット化処理及び受信した信号のパケット分割処理も行うことができるものである。
【００３９】
また、図示しないが、主装置１には、アドレス管理部も接続されている。アドレス管理部は、主装置１に接続されているコードレス電話装置２１〜２ｎの内線番号と内線処理回路１３１〜１３ｎのそれぞれとの対応を記憶管理する。この実施形態の電話システム１０においては、主装置１にコードレス電話装置２１〜２ｎのいずれかが接続された時に、そのコードレス電話装置の親機は、主装置１に対して接続要求を送る。
【００４０】
主装置１は、そのコードレス電話装置の親機からの接続要求を制御信号として受けた内線処理回路が内線処理回路１３１〜１３ｎの内のいずれであるかを検知することにより、コードレス電話装置が接続された内線処理回路を検知する。そして、制御回路１２は、設置工事者や管理者等により設定された内線番号、あるいは自動的に設定された内線番号と、コードレス電話装置が接続された内線処理回路の識別情報とを対応付けてアドレス管理部に登録する。
【００４１】
このアドレス管理部の情報に基づいて、主装置１に接続されたコードレス電話装置の動作状況などを適切に把握することができると共に、主装置１に接続されたコードレス電話装置のそれぞれを適切に制御できる。
【００４２】
そして、主装置１の制御回路１２は、所定のタイミングで、活性化を実行することを指示する制御信号を、制御信号処理部３２、多重化／分割化処理部３４を通じて、親機ＢＳ１〜ＢＳｎに送信可能なものである。なお、所定のタイミングは、例えば、新たなコードレス電話装置が接続されたり、収容されているコードレス電話装置に電源が投入されたりしたタイミングなどである。
【００４３】
［コードレス電話装置２１〜２ｎの構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００４４】
＜親機の構成例；図３＞
図３は、親機ＢＳ１の構成例を示すブロック図である。この図３に示すように、親機ＢＳ１は、親機ＢＳ１の全体を制御するための制御回路４１と、回線ＬＳＩ部４２と、無線通信回路４４と、発振器４５及び４６とを備えて構成されている。
【００４５】
制御回路４１は、コンピュータを搭載して構成されている。そして、制御回路４１は、この親機ＢＳ１における呼制御などの制御を行う機能を備える。また、制御回路４１は、不揮発性メモリであるＥＥＰＲＯＭ４１１を備える。このＥＥＰＲＯＭ４１１には、上述もしたように、マスターとされたコードレス電話装置の親機の識別ＩＤが予め記録されている。そして、主装置１から活性化を指示する制御信号を受信したとする。この場合に、自機の識別ＩＤとＥＥＰＲＯＭ４１１に登録されているマスターとなるコードレス電話装置の親機の識別ＩＤとが同じであり、自機がマスターである場合には、制御回路４１は自機から電波の放射を開始させるように各部を制御する。
【００４６】
一方、自機の識別ＩＤとＥＥＰＲＯＭ４１１に登録されているマスターとなるコードレス電話装置の親機の識別ＩＤとが異なり、自機がスレーブであったとする。この場合、制御回路４１は、ＥＥＰＲＯＭ４１１に記録されている識別ＩＤによって特定されるマスターとされたコードレス電話装置の親機から放射された電波（送信信号）に対して、自機から放射する電波（送信信号）の位相を合わせ込むように、無線通信回路４４を制御する。
【００４７】
回線ＬＳＩ部４２は、主装置１との間で音声信号及び制御信号のやり取りをするための回路であり、分割化／多重化処理部４２１と、制御信号処理部４２２と、音声信号処理部４２３と、ＰＬＬ（Phase  locked  Loop）部４２５とからなる。
【００４８】
ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。
【００４９】
ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００５０】
そして、ＰＬＬ部４２５は、生成したシステムクロック信号ＳＣＫを分割化／多重化処理部４２１、制御信号処理部４２２、音声信号処理部４２３のそれぞれに、信号処理用クロック信号として供給する。
【００５１】
分割化／多重化処理部４２１は、主装置１に接続されると共に、制御信号処理部４２２、音声信号処理部４２３に接続される。そして、分割化／多重化処理部４２１は、主装置１からの多重化信号から制御信号と音声信号を分割して、制御信号は制御信号処理部４２２に、音声信号は音声信号処理部４２３に、それぞれ供給する。また、分割化／多重化処理部４２１は、制御信号処理部４２２からの制御信号と、音声信号処理部４２３からの音声信号とを多重化して多重化信号を生成し、その生成した多重化信号を主装置１に供給する。なお。分割化／多重化処理部４２１は、送出する信号のパケット化処理及び受信した信号のパケット分割処理も行うことができるものである。
【００５２】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００５３】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００５４】
次に、無線通信回路４４について説明する。この無線通信回路４４は、制御部４４１と、ＴＤＭＡ変復調部４４２と、無線通信部４４３とを備えて構成されている。無線通信部４４３は、主に子機ＨＳ１との間で、無線通信を行うための回路部である。但し、後述もするが、無線通信部４４３は、他のコードレス電話装置の親機からの送信信号を受信して、後段の処理回路に供給することができるものである。
【００５５】
制御部４４１は、ＴＤＭＡ変復調部４４２及び無線通信部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００５６】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００５７】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００５８】
そして、ＴＤＭＡ変復調部４４２は、クロック生成用のジェネレータ４４２１（図３では、ＧＥＮと記載。）を備える。このジェネレータ４４２１には、発振器４６からの発振信号が供給される。ジェネレータ４４２１は、発振器４６の発振信号から、フレーム同期信号ＦＬに同期するタイミング信号及びクロック信号を生成する。
【００５９】
ＴＤＭＡ変復調部４４２は、フレーム同期信号ＦＬに同期するタイミング信号及びクロック信号を用いて、割り当て使用可能となるダウンリンクでのスロットの１つに相当する期間で子機ＨＳ１への送信信号を生成すると共に、アップリンクでのスロットの１つを用いて、子機ＨＳ１からの受信信号の処理を行うようにする。
【００６０】
そして、この実施形態の電話システムにおいて、親機ＢＳ１は、主装置１からいわゆる活性化（パワーオン）が指示されたタイミングで、マスターとされた親機からの送信信号に基づいて同期合わせ処理を行う。すなわち、親機ＢＳ１の制御回路４１は、主装置からの活性化が指示されたタイミングで、ＥＥＰＲＯＭ４１１に格納されているマスターとされたコードレス電話装置の親機の識別ＩＤを、無線通信回路４４の制御部４４１に通知して、同期合わせを行うことを指示する。
【００６１】
無線通信回路４４の制御部４４１は、当該指示に応じて、ＴＤＭＡ変復調部４４２の一致検出部４４２２を制御し、無線通信部４４３を通じて受信している信号に含まれる送信元を示す識別ＩＤが、制御回路４１から通知された識別ＩＤと一致しているか否かを照合する。すなわち、マスターとされた親機からの送信信号を受信しているか否かを判別する。無線通信部４４３を通じて受信している信号の識別ＩＤが、制御回路４１から通知された識別ＩＤと一致していると照合できた場合には、一致検出部４４２２は、ＰＬＬ部４４２３を制御し、マスターとされた親機からの送信信号と、自機から送信する送信信号との同期合わせを開始させる。
【００６２】
図４は、ＰＬＬ部４４２３の構成例を説明するためのブロック図である。ＰＬＬ部４４２３は、図４に示すように、位相検出部４４２３Ａと平均化部４４２３Ｂとフレーム同期信号出力部４４２３Ｃとからなる。位相検出部４４２３Ａには、無線通信部４４３を通じて受信したマスターからの送信信号と、ジェネレータ４４２１のタイミング信号及びクロック信号に応じて生成された自機からの送信信号とが入力され、それらの位相差をカウント値として検出する。検出された位相差は、ＬＰＦ（Low Pass Filter）の構成とされた平均化部４４２３Ｂに供給され、ここで異常値は除去されて適正な値となった位相差がフレーム同期信号出力部４４２３Ｃに供給される。
【００６３】
フレーム同期信号出力部４４２３Ｃは、位相差に応じてフレーム同期信号の出力タイミングを調整し、これを位相検出部４４２３Ａに供給する。このようにして、フレーム同期信号出力部４４２３Ｃから出力されるフレーム同期信号ＦＬを、マスターとされた親機からの送信信号に応じたタイミングに合わせ込むようにする。そして、位相検出部４４２３Ａで検出された位相差が予め決められた閾値の範囲内あり、同期が取れたと判別可能な状態になったところで、ＰＬＬ部４４２３をロックする。これにより、自機において用いるフレーム同期信号ＦＬを、マスターとされた親機で用いられているフレーム同期信号に合わせ込むことができる。
【００６４】
このようにして、親機ＢＳ１は、マスターとされた他の親機との間で同期合わせを行った後に、子機ＨＳ１との通信のための同期処理を開始し、常に、子機ＨＳ１に対して送信信号を送る。そして、親機ＢＳ１の無線通信回路４４の制御部４４１は、ＴＤＭＡ変復調部４４２で生成した送信信号を、自親機に設定された１つのスロットを用いて、無線通信部４４３を通じて子機ＨＳ１に送り、当該子機ＨＳ１から応答が返って来た時に、送信信号を送信するために用いたスロットをダウンリンク用とし、子機ＨＳ１からの応答を受信したスロットをアップリンク用として同期を確立して、送受信を行うように制御する。
【００６５】
＜子機の構成例；図５＞
図５は、子機ＨＳ１の構成例を示すブロック図である。図５に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００６６】
無線通信回路５１は、ＤＥＣＴ規格の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【００６７】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００６８】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。
【００６９】
また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００７０】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００７１】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００７２】
なお、制御回路５２は、この子機ＨＳ１からの発呼時には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。
【００７３】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００７４】
［第１の実施の形態の電話システム１０における同期合わせの詳細］
ここで、コードレス電話装置２１をマスターとし、コードレス電話装置２２をスレーブとした場合の電話システムの同期合わせの動作について具体的に説明する。図６は、主に図３の親機ＢＳ１について示したＰＬＬ部４４２３の動作を説明するための図であり、親機から送信される送信信号の構成と位相差の状態の例を示す図である。
【００７５】
親機ＢＳ１〜ＢＳｎからの送信信号を、図６に示すように、ＧＳ（ガードスペース）、Ｓ−ｆｉｅｌｄ（パケット同期データ）、Ａ−ｆｉｅｌｄ（制御データ）、Ｂ−ｆｉｅｌｄ（ユーザーデータ）、Ｘ−ｆｉｅｌｄ（誤り制御）、Ｚ−ｆｉｅｌｄ（スライディングコリジョン検出）からなる。Ａ−ｆｉｅｌｄのＨｅａｄ部にはヘッダーやスロット種類などが格納され、Ｔａｉｌ部には親機、子機の区別、識別ＩＤ（無線ＩＤ）、スロット番号等の情報が格納される。また、Ｒ−ＣＲＣ部は誤り制御のために用いられる。
【００７６】
そして、この実施の形態のスレーブのコードレス電話装置の親機においては、上述もしたように、受信したマスターコードレス電話装置の親機からの電波と、自機から放射する電波との位相合わせを行うためにＰＬＬ部４４２３の動作を開始させる。具体的には、後述もするが比較対象の電波の各フレーム内のスロットで送信される信号のＡフィールド（A-Field）と呼ばれるフィールドの末尾の位置の差（位相カウンタ値）を検出する。すなわち、図６（Ａ）が、マスターである親機ＢＳ１からの送信信号であり、図６（Ｂ）が、スレーブである親機ＢＳ２からの送信信号である。
【００７７】
そして、図６において、マスターである親機ＢＳ１からの送信信号（図６（Ａ））のＡ−ｆｉｅｌｄの末尾から、スレーブである親機ＢＳ２からの送信信号（図６（Ｂ））のＡ−ｆｉｅｌｄの末尾との差分をカウント値として検出するのが、図４に示した位相検出部４４２３Ａの機能である。図６に示した例の場合、マスターである親機ＢＳ１からの送信信号（図６（Ａ））とスレーブである親機ＢＳ２からの送信信号との位相差はカウント値Ｔ１として検出された場合を示している。
【００７８】
このようにして、マスターの親機ＢＳ１からの送信信号とスレーブの親機ＢＳ２からの送信信号とについて複数スロット分について位相差を検出し、これを平均化して適切な位相差を検出するのが、平均化部４４２３Ｂの機能である。そして、平均化部４４２３Ｂからの位相差に応じて、ジェネレータ（図３ではＧＥＮと記載。）４４２１に供給する位相調整用の信号を形成するのが、フレーム同期信号出力部４４２３Ｃの機能である。
【００７９】
そして、フレーム同期信号出力部４４２３Ｃから出力された位相調整用の信号により、フレーム同期信号の位相が調整される。これにより、フレーム同期信号ＦＬが用いられてジェネレータ４４２１により形成されるタイミング信号とクロック信号とに応じて形成されるスレーブの親機ＢＳ２からの送信信号の位相が、図６（Ｃ）に示すように調整される。この場合、マスターである親機ＢＳ１からの送信信号（図６（Ａ））と、スレーブである親機ＢＳ２からの位相調整後の送信信号との位相差はカウント値Ｔ２として検出され、その位相差が小さくなっている。
【００８０】
このようにして、ＰＬＬ部４４２３の機能により、マスターである親機ＢＳ１からの送信信号（図６（Ａ））と、スレーブである親機ＢＳ２からの送信信号との位相差が徐々に小さくなるように調整することができる。そして、図６において、マスターである親機ＢＳ１からの送信信号（図６（Ａ））と、スレーブである親機ＢＳ２からの送信信号（図６（Ｄ））との位相差が、所定範囲にまで小さくなると、同期があったと判別され、ＰＬＬ部４４２３がロックされる。
【００８１】
なお、ここでは、ＰＬＬ部４４２３の機能により、マスターである親機ＢＳ１からの送信信号と、スレーブである親機ＢＳ２からの送信信号との位相差を徐々に小さくするように制御するものとして説明した。しかし、実際には、まず、最初に検出された位相差に応じて、マスターである親機ＢＳ１からの送信信号と、スレーブである親機ＢＳ２からの送信信号との位相差が所定の閾値以下になるように、大きく位相調整を実行し、この後に位相差が所定範囲内に収まるように微調整を行うようにして、迅速に同期合わせを行うことができるようにしている。
【００８２】
図７は、この実施の形態の電話システム１０においての同期合わせ処理の詳細を説明するためのシーケンス図である。図７に示したシーケンス図もまた、コードレス電話装置２１をマスターとし、コードレス電話装置２２をスレーブとした場合の電話システムの同期合わせの動作について示したものである。
【００８３】
まず、例えば、コードレス電話装置２２の親機ＢＳ２が主装置１に新たに接続されるなどして活性化を行う事象が発生すると、主装置１は自機に収容されたコードレス電話装置２１、２２の親機ＢＳ１、ＢＳ２に対して活性化の実効を指示する制御信号を送信する（ステップＳ１、Ｓ２）。活性化の実効を指示する制御信号を受信した親機ＢＳ１、ＢＳ２の制御回路４１では、まず、自機の識別ＩＤとＥＥＰＲＯＭ４１１に記録されているマスターコードレス電話装置の親機の識別ＩＤとを比較し、自機はマスターかスレーブかを判別する。そして、親機ＢＳ１の制御回路４１は、自機の識別ＩＤとＥＥＰＲＯＭ４１１の識別ＩＤとが同じであるので、自機はマスターであると判別して、無線通信回路４４などの各部を制御し、電波の放射を開始させる（ステップＳ３）。
【００８４】
一方、親機ＢＳ２の制御回路４１は、自機の識別ＩＤとＥＥＰＲＯＭ４１１の識別ＩＤとは異なるので、自機はスレーブであると判別して、無線通信回路４４などの各部を制御し、電波の受信を開始させる（ステップＳ４）。そして、スレーブである親機ＢＳ２においては、一致検出部４４２２が機能し、受信した電波（受信信号）に含まれる識別ＩＤと自機のＥＥＰＲＯＭ４１１に記録されている識別ＩＤとを照合し、一致するか否かを確認する（ステップＳ５）。
【００８５】
ステップＳ５の確認処理は一致が確認できるまで継続される。そして、受信した電波（受信信号）に含まれる識別ＩＤと自機のＥＥＰＲＯＭ４１１に記録されている識別ＩＤと一致が確認できると、無線通信回路４４の制御部４４１は、ＰＬＬ部４４２３を制御して動作を開始させる（ステップＳ６）。ＰＬＬ部４４２３は、マスターの親機ＢＳ１からの送信信号をレファレンス信号として用いて、自機からの送信信号との位相差を求め、この位相差に応じて、フレーム同期信号ＦＬの位相を制御し、スレーブの親機ＢＳ２からの送信信号の位相を一気に閾値以下に合わせ込む（ステップＳ７）。
【００８６】
この後、ＰＬＬ部４４２３からの位相差に応じた調整用の信号に応じて、生成されるフレーム同期信号ＦＬの位相を徐々に調整するようにし（ステップＳ８）、例えば制御部４４１が、位相差が所定範囲に収まったか否かを判別する（ステップＳ９）。所定範囲に収まっていないと判別したときには、ＰＬＬ部４４２３の動作を維持し、ステップＳ８からの処理を繰り返すようにする。また、所定範囲に収まったと判別したときには、制御部４４１は、ＰＬＬ部４４２３をロックさせ、スレーブである親機ＢＳ２から子機ＨＳ２に対する電波の放射を開始させる（ステップＳ１０）。
【００８７】
このように、スレーブの親機ＢＳ２は、マスターの親機ＢＳ１との間でフレーム同期を合わせ込んだ後に、子機ＨＳ２への電波の放射を開始させることができる。また、親機ＢＳ２以外のスレーブの親機ＢＳ３〜ＢＳｎについても、スレーブの親機ＢＳ２の場合と同様にして、スターの親機ＢＳ１との間でフレーム同期を合わせ込んだ後に、子機ＨＳ３〜ＨＳｎへの電波の放射を開始させることができる。
【００８８】
しかも、上述もしたように、主装置１と各コードレス電話装置２１〜２ｎの親機ＢＳ１〜ＢＳｎとを同期合わせのための専用線を用いて物理的に接続する必要もなく、無線により、各親機間において、フレーム同期を取ることが可能となる。
【００８９】
［第１の実施の形態の変形例］
上述した第１の実施の形態では、コードレス電話装置２１をマスターとし、コードレス電話装置２２〜２ｎをスレーブとするというように、マスターとスレーブとを固定的に設定するものとして説明したが、これに限るものではない。各コードレス電話装置の親機に、グループ内の全てのコードレス電話装置の親機の識別ＩＤと、各コードレス電話装置のプライオリティ（優先順位）とを対応づけたテーブルを用意しておく。ここでグループとは、例えば、同じ電話回線に接続される複数のコードレス電話装置の集まりなどを意味する。たとえば、営業部に設置されたコードレス電話装置群と、総務部に設置されたコードレス電話装置群というように、グループ分けされる場合もある。
【００９０】
そして、プライオリティの一番高い親機をマスターとした場合に、当該マスターとなった親機が何等かの原因によって送信信号を送信できないために、スレーブの親機がマスターの親機からの信号を受信できないとする。この場合、各スレーブの親機は、主装置にマスターの親機からの送信信号を受信できない事を通知する。そして、主装置１は、マスターを変えて、活性化の処理を行うことを配下のコードレス電話装置の親機に通知する。
【００９１】
この場合、主装置１の配下のコードレス電話装置の親機は、次にプライオリティの高い親機をマスターの親機としてマスターの動作を実行させる。残りの親機はスレーブの親機としてスレーブの動作を実行させる。これにより、マスターのコードレス電話装置が離脱しても各コードレス電話装置間で新たなマスターのコードレス電話装置を設定し直し、無線同期を取ることが可能となる。
【００９２】
なお、各コードレス電話装置の親機間においてフレーム同期を合わせ込んだ後においても、各親機の各々のクロック信号の誤差があるため、マスターに対して同期合わせの動作を継続させることが望ましい。また、一度同期合わせを行った後に、例えば、所定時間経過後に再度の同期合わせを行うようにしてもよい。どの位の時間をあけて同期合わせを行うのかは、例えば事前の実験により適切な時間間隔を求めておき、その時間間隔で同期合わせを行うように、主装置１から活性化の実効を指示する制御信号を送信するようにすればよい。
【００９３】
また、この第１に実施の形態では、主装置１に収容されるコードレス電話装置２１〜２ｎは、ＤＥＣＴ方式を採用したものとして説明したが、これに限るものではない。ＴＤＭＡ／ＴＤＤ方式が採用されたコードレス電話装置を用いる場合にこの発明を適用できる。
【００９４】
［第２の実施の形態］
［無線通信システムの構成例；図８］
図８は、この発明による無線通信システムの第２の実施形態としての電話システム１０Ａの全体の構成例を示すブロック図である。この例の電話システム１０Ａは、図１を用いて説明した第１の実施の形態の電話システム１０の場合と、基本的な構成は同じである。すなわち、この例の電話システム１０Ａにおいては、上位装置（通信制御装置）の例としての主装置１Ａに対して、内線電話装置として、複数のコードレス電話装置２１Ａ、２２Ａ、・・・、２ｎＡ（ｎは２以上の整数。以下同じ）が接続されている。コードレス電話装置２１Ａ〜２ｎＡのそれぞれは、コードレス通信装置の例であり、親機としてのベースセットＢＳ１Ａ、ＢＳ２Ａ、・・・、ＢＳｎＡのそれぞれと、子機としてのハンドセットＨＳ１Ａ、ＨＳ２Ａ、・・・、ＨＳｎＡのそれぞれとからなり、親機ＢＳ１Ａ〜ＢＳｎＡのそれぞれと、子機ＨＳ１Ａ〜ＨＳｎＡのそれぞれとは、無線接続される。
【００９５】
なお、親機ＢＳ１Ａ〜ＢＳｎＡのそれぞれに対しては、複数の子機を無線接続することも可能であるが、この例では、１台の親機に対して、１台の子機が接続される構成とされている。また、図示は省略するが、主装置１Ａに接続される内線電話装置としては、コードレス電話装置２１Ａ、２２Ａ、・・・、２ｎＡのみではなく、通常のビジネスホンと同様に、デジタルボタン電話端末も接続することも可能である。
【００９６】
そして、この実施形態では、コードレス電話装置２１Ａ〜２ｎＡは、ＩＰ電話機であり、主装置１ＡとはＬＡＮ回線を通じて接続されている。また、コードレス電話装置２１Ａ〜２ｎＡの親機ＢＳ１Ａ〜ＢＳｎＡのそれぞれと、子機ＨＳ１Ａ〜ＨＳｎＡのそれぞれとの間の無線接続は、前述したデジタルコードレス電話のＤＥＣＴ規格（方式）を用いたＴＤＭＡ／ＴＤＤ方式により行うようにしている。
【００９７】
主装置１Ａは、１又は複数の電話回線Ｌ１〜Ｌｍ（ｍは１以上の整数）を収容可能である。そして、コードレス電話装置２１Ａ〜２ｎＡのそれぞれの親機ＢＳ１Ａ〜ＢＳｎＡが、この主装置１Ａに接続されている。図８の例では、親機ＢＳ１Ａ〜ＢＳｎＡと主装置１とは有線のＬＡＮ回線で接続されているが、無線のＬＡＮ回線であってもよい。
【００９８】
主装置１Ａは、複数のコードレス電話装置２１Ａ〜２ｎＡについての呼制御及び回線交換制御、その他のビジネスホンとしての制御を行う。コードレス電話装置２１Ａ〜２ｎＡの親機ＢＳ１Ａ〜ＢＳｎＡのそれぞれは、ＤＥＣＴ規格のデジタルコードレス電話の単位通信期間である１フレーム（１０ミリ秒（ｍｓ））の周期の同期信号としてのフレーム同期信号を生成し、その生成したフレーム同期信号に基づいて、ＤＥＣＴ規格を用いたＴＤＭＡ／ＴＤＤ方式の無線通信を子機ＨＳ１Ａ〜ＨＳｎＡとの間で実行する。
【００９９】
親機ＢＳ１Ａ〜ＢＳｎＡのそれぞれは、フレーム同期信号を生成し、その生成したフレーム同期信号に基づいて、子機ＨＳ１Ａ〜ＨＳｎＡとの間で、１フレーム期間の複数のスロットの内の一つを用いて無線通信を行うように制御する。
【０１００】
しかし、第１の実施の形態の電話システム１０の場合と同様に、主装置１Ａと各コードレス電話装置２１Ａ〜２ｎＡの親機ＢＳ１Ａ〜ＢＳｎＡは、ＬＡＮ接続されているために、高精度の同期信号の提供ができず、親機ＢＳ１Ａ〜ＢＳｎＡ間において高精度の同期合わせができない。
【０１０１】
また、第１の実施の形態で説明した発明の場合、マスターとされた親機からの送信信号を、スレーブとされた親機の全てが必ず受信可能な位置に配置されているとは限らない。このため、上述した第１の実施の形態の発明の場合、確実に全てのコードレス電話装置間で同期を合わせることができない場合があると考えられる。そこで、この第２の実施の形態の電話システムにおいては、マスターとなる親機を機動的に変えることにより、主装置１Ａに収容されたコードレス電話装置２１Ａ〜２ｎＡの全ての親機ＢＳ１Ａ〜ＢＳｎＡ間において、フレーム同期を確実に合わせることができるようにしている。
【０１０２】
具体的には、（１）前提条件として、各コードレス電話装置２１Ａ〜２ｎＡの親機ＢＳ１Ａ〜ＢＳｎＡのＥＥＰＲＯＭ４１１Ａには、同じグループを構成する他のコードレス電話装置の親機の識別ＩＤ（無線ＩＤ）登録されている。これにより、各親機ＢＳ１Ａ〜ＢＳｎＡは、同じグループを構成するコードレス電話装置の親機を判別することができるようになっている。また、各親機ＢＳ１Ａ〜ＢＳｎＡは、受信した他の親機からの送信信号から同じグループの親機の識別ＩＤを検出したら、通知処理部４１４が主装置１Ａに通知することができるようになっている。
【０１０３】
（２）各コードレス電話装置２１Ａ〜２ｎＡにおいては、電源がオンにされると、親機ＢＳ１Ａ〜ＢＳｎＡのキャリアセンス部４４２４が機能する。そして、自機において受信可能な１以上の親機からのそれぞれの送信信号から識別ＩＤを抽出するとともに、電波強度（ＲＳＳＩ）を検出する処理であるスキャニング処理を行う。そして、同じグループに属する親機からの送信信号から抽出した識別ＩＤと検知した電波強度とをスキャニング情報として通知処理部４１４が主装置１Ａに通知する。
【０１０４】
（３）主装置１Ａは、管理テーブル部１５において、配下のコードレス電話装置２１Ａ〜２ｎＡの親機ＢＳ１Ａ〜ＢＳｎＡからのスキャニング処理により検出した同じグループの親機の識別ＩＤと電波強度とからなるスキャニング情報を送信元ごとに管理する。管理テーブル部１５は、例えば不揮発性メモリなどにより構成させるものである。（４）主装置１Ａにおいては、後述する制御回路１２Ａが端末管理部として機能し、管理テーブル部１５の格納情報に基づいて、マスターとなる親機を決定し、当該マスターとなる親機からの送信信号の受信が可能なスレーブとなる親機に対して、マスターとなる親機の識別ＩＤを通知する。
【０１０５】
（５）マスターとなる親機の識別ＩＤが通知されたスレーブとなる親機においては、当該マスターとなる親機の識別ＩＤが制御回路４１Ａの通知処理部４１４において把握され、これが同期制御部４１５に通知される。スレーブとされた親機の同期制御部４１５は、ＰＬＬ部４４２３を制御するようにし、マスターとされた親機からの送信信号をリファレンス信号として用いて、自機からの送信信号の位相をマスターとされた親機からの送信信号に合わせ込むように機能する。ＰＬＬ部４４２３の処理自体は、第１の実施の形態のＰＬＬ部４４２３と同じである。このようにして同期がとれたら、同期制御部４１５の制御の下、通知処理部４１４が機能して、同期が完了したことを同期情報として主装置１Ａに通知する。
【０１０６】
（６）スレーブとされた親機からの同期情報は、主装置１Ａの管理テーブル部１５で管理され、主装置１Ａの制御回路１２Ａは、同期が完了している親機の識別ＩＤを全ての親機に通知する。（７）主装置１Ａが決定したマスターの親機からの送信信号が受信できなかったマスター以外の親機（スレーブとなった親機）は、通知された同期が完了しているスレーブとなった親機のうち、自機が受信可能な送信信号を送信している親機からの送信信号を用いて、同期合わせを行う。この同期合わせもまた、ＰＬＬ部が機能して行われるが、その基本的な動作は、第１の実施の形態のＰＬＬ部４４２３の場合と同様である。
【０１０７】
（８）同期が完了したスレーブの親機は、同期が完了したことを同期情報として主装置１Ａに通知する。（９）主装置１Ａは同期が未完了の親機が存在している場合には、同期が完了している親機の識別ＩＤを全ての親機に通知する。（１０）主装置１Ａが決定したマスターの親機からの送信信号が受信できなかったマスター以外の親機（スレーブとなった親機）は、通知された同期が完了しているスレーブとなった親機のうち、自機が受信可能な送信信号を送信している親機からの送信信号を用いて、同期合わせを行う。（１１）グループ全ての親機の同期合わせが完了したら、各親機は子機に対する電波の放射を開始する。
【０１０８】
このように、この第２の実施の形態の電話システムの場合には、親機ＢＳ１Ａ〜ＢＳｎＡは、自機が受信可能な送信信号を送信している親機の識別ＩＤと電波強度とを主装置１Ａに通知する。主装置１Ａは、各親機ＢＳ１Ａ〜ＢＳｎＡから送信されてきた電波情報に基づいて、同期の基準となるマスターとなる親機を決定し、当該マスターとなった親機からの送信信号の受信が可能な親機に対しては、当該マスターとなった親機との間で同期合わせを行うことを指示する。
【０１０９】
これにより同期合わせを完了した親機は、同期合わせを完了したことを主装置１Ａに通知し、主装置１Ａは、同期を完了した親機の識別ＩＤを同じグループの全ての親機に送信する。そして、同期合わせが完了していない親機は、自機が受信可能な送信信号を送信している同期合わせ完了済みの親機との間で同期合わせを行うことができる。このようにすることによって、マスターとされた親機からの送信信号を受信できない親機が存在していても、同じグループ内すべての親機間において、フレーム同期を合わせることができる。
【０１１０】
［主装置１Ａの構成例；図９］
図９は、第２の実施の形態の主装置１Ａの構成例を示すブロック図である。第２の実施の形態の主装置１Ａは、電話システム上においては第１の実施の形態の主装置１と同等の機能を実現するものである。このため図９に示した第２の実施の形態の主装置１Ａの基本的な構成は、図２に示した第１の実施の形態の主装置１とほぼ同様のものである。このため、図９に示した第２の実施の形態の主装置１Ａにおいて、図２に示した第１の実施の形態の主装置１と同様に構成される部分には同じ参照符号を付し、その部分の詳細な説明は重複するので省略する。
【０１１１】
そして、図９に示した第２の実施の形態の主装置１Ａと図２に示した第１の実施の形態の主装置１とを比較すると分かるように、図９に示した第２の実施の形態の主装置１Ａの場合には、制御回路１２Ａに対して管理テーブル部１５が設けられている点で異なっている。管理テーブル部１５は、配下の親機ＢＳ１Ａ〜ＢＳｎＡからのスキャニング情報を管理する。また、管理テーブル部１５は、配下の親機ＢＳ１Ａ〜ＢＳｎＡからの同期合わせが完了したか否かを示す同期情報を管理する。
【０１１２】
図１１は、管理テーブル部１５の格納データの例を説明するための図である。図１１に示すように、管理テーブル部１５では、通知元となる親機ＢＳ１Ａ〜ＢＳｎＡごとに、受信信号から検知した同じグループの他の親機の識別ＩＤと電波強度（ＲＳＳＩ）とからなるスキャニング情報が管理される。また、管理テーブル部１５では、通知元となる親機ＢＳ１Ａ〜ＢＳｎＡごとに、同期合わせ処理が完了したか否かを示す同期情報が管理される。この例において、同期情報が「１」の場合には同期合わせ完了（同期あわせ済み）、「０」の場合には同期合わせ未完了を示している。
【０１１３】
そして、制御回路１２Ａは、配下の親機ＢＳ１Ａ〜ＢＳｎＡからのスキャニング情報や同期情報を管理テーブル部１５に記録する処理を行う。また、制御回路１２Ａは、管理テーブルの情報に基づいて、マスターとなる親機の選定を行って、マスターとして選定した親機の識別ＩＤをスレーブとなる親機に通知する処理を行う。また、制御回路１２Ａは、同期情報に基づき、同期合わせが未完了の親機が存在している場合には、同期合わせが未完了である親機を含むグループを構成する全ての親機に対して、同期合わせが完了した親機の識別ＩＤを通知する処理を行う。
【０１１４】
なお、マスターとなる親機の選定にあたっては、管理テーブル部１５で管理されている電波強度も考慮する。簡単には、電波強度（ＲＳＳＩ）が高い送信信号の送信先の親機をマスターとして選定する。同期合わせを適切に行えるためである。このように、第２の実施の形態の主装置１Ａは、制御回路１２Ａの機能と、管理テーブル部１５を備えている点において、第１の実施の形態の主装置１とは異なっている。
【０１１５】
［コードレス電話装置２１Ａ〜２ｎＡの構成例］
複数個のコードレス電話装置２１Ａ〜２ｎＡの親機ＢＳ１Ａ〜ＢＳｎＡ及び子機ＨＳ１Ａ〜ＨＳｎＡのそれぞれは、全て同じ構成を備える。そこで、以下の説明では、コードレス電話装置２１Ａの親機ＢＳ１Ａの場合を例にとって、親機構成例を説明する。なお、この第２の実施の形態において、子機ＨＳ１Ａ〜ＨＳｎＡの構成は、第１の実施の形態の子機ＨＳ１〜ＨＳｎと同じであるため、その詳細な説明については重複するので省略する。
【０１１６】
＜親機の構成例；図１０＞
図１０は、第２の実施の形態の親機ＢＳ１Ａの構成例を示すブロック図である。第２の実施の形態の親機ＢＳ１Ａは、電話システム上においては第１の実施の形態の親機ＢＳ１と同等の機能を実現するものである。このため図１０に示した第２の実施の形態の親機ＢＳ１Ａの基本的な構成は、図３に示した第１の実施の形態の親機ＢＳ１とほぼ同様のものである。このため、図１０に示した第２の実施の形態の親機ＢＳ１Ａにおいて、図３に示した第１の実施の形態の親機ＢＳ１と同様に構成される部分には同じ参照符号を付し、その部分の詳細な説明は重複するので省略する。
【０１１７】
そして、図１０に示した第２の実施の形態の親機ＢＳ１Ａと図３に示した第１の実施の形態の親機ＢＳ１とを比較すると分かるように、図１０に示した第２の実施の形態の親機ＢＳ１Ａの場合には、制御回路４１Ａと無線通信回路４４ＡのＴＤＭＡ変復調部４４２Ａの構成が異なっている。
【０１１８】
すなわち、第２の実施の形態の親機ＢＳ１Ａの制御回路４１Ａは、ＥＥＰＲＯＭ４１１Ａと、通知処理部４１４と、同期制御部４１５とを備えた構成になっている。また、無線通信回路４４ＡのＴＤＭＡ変復調部４４２Ａは、ジェネレータ４４２１とＰＬＬ部４４２３に加えて、キャリアセンス部４４２４を備えた構成になっている。
【０１１９】
制御回路４１ＡのＥＥＰＲＯＭ４１１Ａは、グループ内親機テーブルとスキャニング情報テーブルとが格納される。図１２は、グループ内親機テーブルの格納データの例とスキャニング情報テーブルの格納データの例を説明するための図である。図１２（Ａ）に示すように、ＥＥＰＲＯＭ４１１Ａのグループ内親機テーブルには、自機と同じグループに属する他の親機の識別ＩＤ（無線ＩＤ）が予め格納されている。これにより、親機ＢＳ１Ａは、自機が属するグループの他の親機からの送信信号を判別できるようになる。また、図１２（Ｂ）に示すように、スキャニング情報テーブルには、ＴＤＭＡ変復調部４４２Ａのキャリアセンス部４４２４からのスキャニング情報が一時記憶される。スキャニング情報は、自機が受信した同じグループに属する他の親機からの送信信号から抽出した親機の識別情報と、その送信信号の自機における検出した電波強度とからなるものである。
【０１２０】
この第２の実施の形態の親機ＢＳ１Ａの電源がオンにされると制御回路４１の同期制御部４１５が機能し、無線通信回路４４Ａの制御部４４１を通じてキャリアセンス部４４２４を機能させる。キャリアセンス部４４２４は、無線通信部４４３を通じて受信した信号から識別ＩＤを抽出するとともに、電波強度（ＲＳＳＩ）を検出し、これらをスキャニング情報として制御部４４１を通じて制御回路４１Ａに通知する。すなわち、キャリアセンス部４４２４は、自機が受信可能な１以上の親機からのそれぞれの送信信号から識別ＩＤを抽出するとともに、その送信信号の電波強度（ＲＳＳＩ）を検出する処理であるスキャニング処理を行う。
【０１２１】
そして、制御回路４１Ａにおいては、キャリアセンス部４４２４からのスキャニング情報を、図１２（Ｂ）に示した態様で、ＥＥＰＲＯＭ４１１Ａのスキャニング情報テーブルに一時記憶する。このスキャニング情報は、電源が投入されるごとにクリア（初期化）される。
【０１２２】
通知処理部４１４は、無線通信回路４４Ａの制御部４４１を通じて通知されたスキャニング情報の内、自機が属するグループの他の親機についてのスキャニング情報を、主装置１Ａに通知する処理を行う。このスキャニング情報は、ＥＥＰＲＯＭ４１１Ａに一時記憶された情報である。すなわち、通知処理部４１４が主装置１Ａに通知するスキャニング情報は、親機ＢＳ１Ａが受信した同じグループに属する他の親機からの送信信号に含まれる当該他の親機の識別ＩＤと、当該送信信号の自機における電波強度（ＲＳＳＩ）からなる情報である。このスキャニング情報が、上述した主装置１Ａの管理テーブル部１５において、図１１に示した態様で管理される。
【０１２３】
この後、主装置１Ａにおいては、上述したように、図１１を用いて説明した管理テーブル部１５で管理されている情報に基づいて、マスターとなる親機を決定し、当該マスターとなる親機からの送信信号の受信が可能なスレーブとなる親機に対して、マスターとなる親機の識別ＩＤが通知される。また、図１１を用いて説明した管理テーブル部１５で管理されている情報に基づいて、同期合わせ未完了の親機がある場合には、同期合わせが完了した同じグループに属する親機の識別ＩＤが、同じグループに属する全ての親機に通知される。これらの通知は、親機ＢＳ１Ａの通知処理部４１４により抽出され、同期制御部４１５に通知される。
【０１２４】
そして、親機ＢＳ１Ａが、マスターとなる親機の識別情報が通知され、自機がスレーブとなる親機であるものとする。この場合、親機ＢＳ１Ａの同期制御部４１５は、無線通信回路４４の制御部４４１を通じてＰＬＬ部４４２３を制御し、ＰＬＬ動作を開始させ、マスターとされた親機との間で同期合わせを行うようにする。すなわち、ＰＬＬ部４４２３は、自機において受信しているマスターとされた親機からの送信信号をリファレンス信号として用い、自機からの送信信号の位相をマスターとされた親機からの送信信号に合わせ込むようにするＰＬＬ処理を開始させる。
【０１２５】
第２の実施の形態の親機ＢＳ１Ａにおいても、ＰＬＬ部４４２３の動作は、第１の実施の形態のＰＬＬ部４４２３と同じである。このようにしてマスターとされた親機との間でフレーム同期が取れると、ＰＬＬ部４４２３は、同期合わせが完了したことを、制御部４４１を通じて、制御回路４１Ａの同期制御部４１５に通知してくる。このため、同期制御部４１５の制御の下、通知処理部４１４が機能して、自機において同期合わせが完了したことを同期情報として主装置１Ａに通知する。
【０１２６】
また、親機ＢＳ１Ａが、同期合わせが完了した親機の識別ＩＤの通知を受けた場合であって、自機において同期合わせが未完了であるとする。この場合、親機ＢＳ１Ａの同期制御部４１５は、無線通信回路４４の制御部４４１を通じてＰＬＬ部４４２３を制御し、ＰＬＬ動作を開始させ、同期合わせが完了した親機との間で同期合わせを行うようにする。具体的には、同期合わせが完了したとして通知された識別ＩＤを有する親機からの送信信号を受信してこれをリファレンス信号として用い、自機からの送信信号の位相を同期合わせが完了している当該親機からの送信信号に合わせ込むようにするＰＬＬ処理を開始させる。
【０１２７】
このようにしてマスターとされた親機との間でフレーム同期が取れると、ＰＬＬ部４４２３は、同期合わせが完了したことを、制御部４４１を通じて、制御回路４１Ａの同期制御部４１５に通知してくる。このため、同期制御部４１５の制御の下、通知処理部４１４が機能して、自機において同期合わせが完了したことを同期情報として主装置１Ａに通知する。
【０１２８】
そして、他の親機ＢＳ２Ａ〜ＢＳｎＡも同様に機能する。そして、同期合わせが未完了の親機が存在しなくなるまで、同期合わせが完了した親機の識別ＩＤの通知と、同期合わせが未完了の親機における同期合わせが完了した親機からの送信信号を用いた同期合わせ処理が繰り返される。これにより、同じグループに属する全ての親機の同期合わせを行うことができるようにされる。
【０１２９】
［第２の実施の形態の電話システム１０Ａにおける同期合わせの詳細］
次に、この第２の実施の形態の電話システム１０Ａにおいて行われる同期合わせ処理の詳細について具体的に説明する。ここでは、主装置１Ａに対して、６台のコードレス電話装置２１Ａ〜２６Ａが接続されて電話システム１０Ａを構成しているものとして説明する。そして、上述もしたように、コードレス電話装置２１Ａは親機ＢＳ１Ａ及び子機ＨＳ１Ａからなり、コードレス電話装置２２Ａは親機ＢＳ２Ａ及び子機ＨＳ２Ａからなる。また、コードレス電話装置２３Ａは親機ＢＳ３Ａ及び子機ＨＳ３Ａからなり、コードレス電話装置２４Ａは親機ＢＳ４Ａ及び子機ＨＳ４Ａからなる。また、コードレス電話装置２５Ａは親機ＢＳ５Ａ及び子機ＨＳ５Ａからなり、コードレス電話装置２６Ａは親機ＢＳ６Ａ及び子機ＨＳ６Ａからなる。
【０１３０】
図１３は、この第２の実施の形態の電話システム１０Ａを構成するコードレス電話装置２１Ａ〜２６Ａの配置関係を示す図である。図１３に示すように、親機ＢＳ１Ａ〜ＢＳ６Ａのそれぞれが離れて配置された状態にある。そして、点線の円で示したように、親機ＢＳ１Ａからの送信信号を受信できるのは、親機ＢＳ２Ａと親機ＢＳ６Ａであるとする。すなわち、親機ＢＳ１Ａは、親機ＢＳ６Ａと親機ＢＳ２Ａからの送信信号を受信可能な位置関係になっている。
【０１３１】
同様にして、各親機について各親機からの送信信号の受信状態を確認したところ、親機ＢＳ２Ａは、親機ＢＳ１Ａと親機ＢＳ３Ａからの送信信号を受信可能な位置関係になっている。また、親機ＢＳ３Ａは、親機ＢＳ２Ａと親機ＢＳ４Ａからの送信信号を受信可能な位置関係になっており、親機ＢＳ４Ａは、親機ＢＳ３Ａと親機ＢＳ５Ａからの送信信号を受信可能な位置関係になっている。また、親機ＢＳ５Ａは、親機ＢＳ４Ａと親機ＢＳ６Ａからの送信信号を受信可能な位置関係になっており、親機ＢＳ６Ａは、親機ＢＳ５Ａと親機ＢＳ１Ａからの送信信号を受信可能な位置関係になっている。したがって、各親機ＢＳ１Ａ〜ＢＳ６Ａのそれぞれは、上述したように、図１３においた両隣に位置する親機からの送信信号しか受信できない位置関係にあるとする。
【０１３２】
この場合に、この第２の実施の形態の電話システム１０Ａにおいて、無線による同期合わせを行うようにすると、図１４、図１５のシーケンス図に示すように動作することになる。すなわち、図１４、図１５は、この第２の実施の形態の電話システム１０Ａにおいて、同期合わせを行う場合の処理を説明するためのシーケンス図である。
【０１３３】
コードレス電話装置２１Ａ〜２６Ａの親機ＢＳ１Ａ〜ＢＳ６Ａのそれぞれにおいて電源が投入されると、親機ＢＳ１Ａ〜ＢＳ６Ａのそれぞれは主に子機への電波の放射を開始する（ステップＳ２０）。親機ＢＳ１Ａ〜ＢＳ６Ａのそれぞれでは、上述もしたように、同期制御部４１５の制御の下、キャリアセンス部４４２４が機能し、スキャニング処理を実行してスキャニング情報を検出し、そのスキャニング情報を通知処理部４１４が主装置１Ａに通知する（ステップＳ２１〜Ｓ２６）。
【０１３４】
これにより、主装置１Ａの端末管理部としての制御回路１２Ａが、管理テーブル部１５に、親機ごとにスキャニング情報を格納して、図１１に示した管理テーブルを作成する。図１１に示した管理テーブル部の格納データの例は、図１３に示した位置関係にある場合の各親機からのスキャニング情報に合致したものである。そして、制御回路１２は、図１１に示した態様の管理テーブル部１５の格納データを参照し、マスターとなる親機を選択する。
【０１３５】
図１１に示した管理テーブル部１５の格納データを見ると分かるように、各親機ＢＳ１Ａ〜ＢＳ６Ａのそれぞれからの送信信号は、隣り合う２つの親機において受信可能になっている。そして、親機ＢＳ１Ａからの送信信号の電波強度が、親機ＢＳ２ＡとＢＳ６Ａで高かったとする。この場合、主装置１の制御回路１２は、親機ＢＳ１Ａをマスターとして選択し、親機ＢＳ１Ａからの送信信号の受信が可能な親機ＢＳ２Ａ、ＢＳ６Ａをスレーブとして選択する（ステップＳ２７）。
【０１３６】
この後、主装置１Ａの制御回路１２は、マスターとして選択した親機ＢＳ１Ａと、スレーブとして選択した親機ＢＳ２Ａ、ＢＳ６Ａに対して、親機ＢＳ１Ａをマスターに選択したこと、すなわち、親機ＢＳ１Ａの識別ＩＤを通知する（ステップＳ２８）。マスターとして選択された親機ＢＳ１Ａの識別ＩＤの提供を受けた親機ＢＳ２Ａでは、同期制御部４１５の制御の下、ＰＬＬ部４４２３が機能し、マスターとして選択された親機ＢＳ１Ａからの送信信号に対して、自機からの送信信号の同期を合わせる処理を行う（ステップＳ２９）。
【０１３７】
そして、親機ＢＳ２Ａにおいて、フレーム同期がマスターとして選択された親機ＢＳ１Ａのフレーム同期に合うと、ＰＬＬ部４４２３から制御部４４１を経由して、同期が合ったことが制御回路４１Ａに通知される。このため、制御回路４１Ａの同期制御部４１５は、通知処理部４１４を通じて、親機ＢＳ２Ａにおいて同期合わせが完了したことを示す同期情報を主装置１Ａに通知する（ステップＳ３０）。これにより、主装置１Ａの制御回路１２は、管理テーブル部１５の親機ＢＳ２Ａの同期情報の欄に値「１」を更新し、親機ＢＳ２Ａにおいて同期合わせが完了したことが示される。
【０１３８】
同様に、マスターとして選択された親機ＢＳ１Ａの識別ＩＤの提供を受けた親機ＢＳ６Ａでは、同期制御部４１５の制御の下、ＰＬＬ部４４２３が機能し、マスターとして選択された親機ＢＳ１Ａからの送信信号に対して、自機からの送信信号の同期を合わせる処理を行う（ステップＳ３１）。
【０１３９】
そして、親機ＢＳ６Ａにおいて、フレーム同期がマスターとして選択された親機ＢＳ１Ａのフレーム同期に合うと、ＰＬＬ部４４２３から制御部４４１を経由して、同期が合ったことが制御回路４１Ａに通知される。このため、制御回路４１Ａの同期制御部４１５は、通知処理部４１４を通じて、親機ＢＳ６Ａにおいて同期合わせが完了したことを示す同期情報を主装置１Ａに通知する（ステップＳ３２）。これにより、主装置１Ａの制御回路１２Ａは、管理テーブル部１５の親機ＢＳ６Ａの同期情報の欄に値「１」を更新し、親機２Ａにおいて同期合わせが完了したことが示される。
【０１４０】
この後、図１５に示す処理に進み、主装置１Ａの制御回路１２Ａは、親機ＢＳ２Ａ、ＢＳ６Ａにおいて同期が完了したことを示す同期通知（親機ＢＳ２Ａ、ＢＳ６Ａの識別ＩＤ）を、同じグループに属する全ての親機ＢＳ１Ａ〜ＢＳ６Ａに通知する（ステップＳ３３）。そして、同期合わせが完了していない親機ＢＳ３Ａにおいては、親機ＢＳ２Ａと親機ＢＳ６Ａが同期合わせを完了させたことを示す通知を受けることにより、同期制御部４１５の制御の下、ＰＬＬ部４４２３が機能し、同期合わせが完了した親機であって、自機において送信信号の受信が可能な親機ＢＳ２Ａからの送信信号に対して、自機からの送信信号の同期を合わせる処理を行う（ステップＳ３４）。
【０１４１】
そして、親機ＢＳ３Ａにおいて、同期合わせが完了すると、ＰＬＬ部４４２３から制御部４４１を経由して、同期が合ったことが制御回路４１Ａに通知される。このため、制御回路４１Ａの同期制御部４１５は、通知処理部４１４を通じて、親機ＢＳ３Ａにおいて同期合わせが完了したことを示す同期情報を主装置１Ａに通知する（ステップＳ３５）。これにより、主装置１Ａの制御回路１２は、管理テーブル部１５の親機ＢＳ３Ａの同期情報の欄に値「１」を更新し、親機ＢＳ３Ａにおいて同期合わせが完了したことが管理される。
【０１４２】
この後、主装置１Ａの制御回路１２Ａは、親機ＢＳ３Ａにおいて、同期が完了したことを示す同期通知（親機ＢＳ３Ａの識別ＩＤ）を、同じグループに属する全ての親機ＢＳ１Ａ〜ＢＳ６Ａに通知する（ステップＳ３３）。同様に、同期合わせが完了していない親機ＢＳ４Ａにおいては、親機ＢＳ２Ａ、ＢＳ６Ａに加えて、親機ＢＳ３Ａが同期合わせを完了させたことを示す通知を受けることにより、同期制御部４１５の制御の下、ＰＬＬ部４４２３が機能し、同期合わせが完了した親機であって、自機において送信信号の受信が可能な親機ＢＳ３Ａからの送信信号に対して、自機からの送信信号の同期を合わせる処理を行う（ステップＳ３６）。
【０１４３】
そして、親機ＢＳ４Ａにおいて、同期合わせが完了すると、ＰＬＬ部４４２３から制御部４４１を経由して、同期が合ったことが制御回路４１Ａに通知する。このため、制御回路４１Ａの同期制御部４１５は、通知処理部４１４を通じて、親機ＢＳ４Ａにおいて同期合わせが完了したことを示す同期情報を主装置１Ａに通知する（ステップＳ３７）。これにより、主装置１Ａの制御回路１２は、管理テーブル部１５の親機ＢＳ４Ａの同期情報の欄に値「１」を更新し、親機ＢＳ４Ａにおいて同期合わせが完了したことが管理される。
【０１４４】
この後、主装置１Ａの制御回路１２Ａは、親機ＢＳ４Ａにおいて、同期が完了したことを示す同期通知（親機ＢＳ４Ａの識別ＩＤ）を、同じグループに属する全ての親機ＢＳ１Ａ〜ＢＳ６Ａに通知する（ステップＳ３３）。同様に、同期合わせが完了していない親機ＢＳ５Ａにおいては、親機ＢＳ２Ａ、ＢＳ６Ａ、ＢＳ３Ａに加えて、親機ＢＳ４Ａが同期合わせを完了させたことを示す通知を受ける。親機ＢＳ５Ａは、送信信号の受信が可能な親機ＢＳ６Ａにおいて同期合わせが完了したことが通知されている。このため、親機ＢＳ５Ａは、同期制御部４１５の制御の下、ＰＬＬ部４４２３が機能し、同期合わせが完了した親機であって、自機において送信信号の受信が可能な親機ＢＳ６Ａからの送信信号に対して、自機からの送信信号の同期を合わせる処理を行う（ステップＳ３８）。
【０１４５】
そして、親機ＢＳ５Ａにおいて、同期合わせが完了すると、ＰＬＬ部４４２３から制御部４４１を経由して、同期が合ったことが制御回路４１Ａに通知する。このため、制御回路４１Ａの同期制御部４１５は、通知処理部４１４を通じて、親機ＢＳ５Ａにおいて同期合わせが完了したことを示す同期情報を主装置１Ａに通知する（ステップＳ３９）。これにより、主装置１Ａの制御回路１２は、管理テーブル部１５の親機ＢＳ５Ａの同期情報の欄に値「１」を更新し、親機ＢＳ５Ａにおいて同期合わせが完了したことが管理される。
【０１４６】
これにより、主装置１Ａにおいては、親機ＢＳ１Ａ〜ＢＳ６Ａの全ておいて同期合わせが完了できたことが、管理テーブル部１５の管理情報により把握できるので、主装置１Ａに収容された全ての親機ＢＳ１Ａ〜ＢＳ６Ａにおいて、同期合わせが完了し、（ステップＳ４０）、自機に対応する子機ＨＳ１Ａ〜ＨＳ６Ａとの間で適切に無線通信を行うことができるようになる。
【０１４７】
したがって、主装置１Ａの配下の全てのコードレス電話装置２１Ａ〜２ｎＡの親機ＢＳ１Ａ〜ＢＳｎＡにおいて、マスターとして選択された親機からの送信信号を受信でき親機が存在したとする。この場合でも、この第２の実施の形態の電話システム１０Ａにおいては、近隣の同期合わせが完了した親機からの送信信号をリファレンス信号として用いて、確実かつ迅速に同期合わせを行うことができる。
【０１４８】
［第２の実施の形態の変形例］
この第２の実施の形態の電話システムの主装置１Ａにおいては、管理テーブル部１５の格納情報に基づいて、各親機から送信されてきたスキャニング情報に基づいて、より多くの親機において受信された送信信号を送信している親機をマスターとして選択する。また、この場合に、電波強度を考慮し、より多くの親機において受信された所定の閾値以上の電波強度の送信信号を送信している親機をマスターとして選択することも可能である。
【０１４９】
また、予め各親機について、マスターとして選択される場合のプライオリティ（優先順位）を設定したテーブルを用意しておき、このテーブルのプライオリティにしたがって、マスターとなる親機を選択する構成としてもよい。
【０１５０】
また、第２の実施の形態の電話システム１０Ａの場合、同期合わせが完了した親機からの送信信号を用いて、同期合わせを行う場合、図１１に示した管理テーブル部１５の格納データに基づいて、主装置１Ａが同期合わせ未完了の親機に対して、どの親機との間で同期合わせを行うようにすればよいかを指示することもできる。また、図１２（Ｂ）に示したスキャニング情報テーブルの情報に基づいて、同期合わせ未完了の親機が、どの親機との間で同期合わせを行うようにすればよいかを特定することもできる。
【０１５１】
なお、この第２に実施の形態では、主装置１Ａに収容されるコードレス電話装置２１Ａ〜２ｎＡは、ＤＥＣＴ方式を採用したものとして説明したが、これに限るものではない。ＴＤＭＡ／ＴＤＤ方式が採用されたコードレス電話装置を用いる場合にこの発明を適用できる。
【０１５２】
また、上述した第１、第２の実施の形態では、親機の主要部分ＴＤＭＡ変復調部４４２、４４２Ａや制御回路４１、４１Ａに設けるようにしたが、別途、同期合わせ処理を行う回路部を親機内に独立して設けるようにする等、種々の変更が可能である。
【０１５３】
［その他］
上述した実施の形態の説明からも分かるように、上位装置の機能は、主装置１、１Ａが実現し、コードレス電話装置の機能は、コードレス電話装置２１〜２ｎ、２１Ａ〜２ｎＡが実現している。
【０１５４】
そして、親機の受信手段、送信手段は、親機ＢＳ１〜ＢＳｎ、ＢＳ１Ａ〜ＢＳｎＡの無線通信部４４３が実現し、親機の同期取得手段の機能は、親機ＢＳ１〜ＢＳｎ、ＢＳ１Ａ〜ＢＳｎＡのＰＬＬ部４４２３が実現している。また、親機の制御手段の機能は、親機ＢＳ１〜ＢＳｎの制御回路４１や制御部４４１が協働して、また、親機ＢＳ１Ａ〜ＢＳｎＡの同期制御部４１５や制御部４４１が協働して実現している。
【０１５５】
また、親機の記憶手段の機能は、親機ＢＳ１〜ＢＳｎのＥＥＰＲＯＭ４１１や親機ＢＳ１Ａ〜ＢＳｎＡのＥＥＰＲＯＭ４１１Ａが実現している。親機の抽出手段の機能は、親機ＢＳ１〜ＢＳｎの一致検出部４４２２や親機ＢＳ１Ａ〜ＢＳｎＡのキャリアセンス部４４２４などが実現している。また、親機の通知手段、取得手段、同期情報通知手段、同期取得済み識別情報取得手段の機能は、親機ＢＳ１Ａ〜ＢＳｎＡの主に通知処理部４１４が実現している。
【０１５６】
また、上位装置の受付手段、提供手段、同期情報受付手段、同期情報提供手段の各機能は、主装置１Ａの制御回路１２及び回線ＬＳＩ部１３が協働して実現している。また、上位装置の対応付け情報管理手段の機能は、管理テーブル部１５が実現し、選択手段の機能は、主に制御回路１２が実現している。
【０１５７】
また、図７のシーケンス図や図１４、図１５のシーケンス図を用いて説明した方法が、この発明の無線同期方法の一実施の形態に対応している。また、図７のシーケンス図や図１４、図１５のシーケンス図を用いて説明した主装置１、１Ａ、親機ＢＳ１〜ＢＳｎ、ＢＳ１Ａ〜ＢＳｎＡで行われる処理を実行するプログラムを形成し、主装置１、１Ａ、親機ＢＳ１〜ＢＳｎ、ＢＳ１Ａ〜ＢＳｎＡで実行可能にすることによって、この発明の親機や上位装置を構成することもできる。
【符号の説明】
【０１５８】
１、１Ａ…主装置、１１…回線Ｉ／Ｆ、１２…制御回路、１３…回線ＬＳＩ部、１４…基準発振器、１５…管理テーブル部、２１〜２ｎ…コードレス電話装置、ＢＳ１〜ＢＳｎ…親機、ＨＳ１〜ＨＳｎ…子機、２１Ａ〜２ｎＡ…コードレス電話装置、ＢＳ１Ａ〜ＢＳｎＡ…親機、ＨＳ１Ａ〜ＨＳｎＡ…子機、４１、４１Ａ…制御回路、４４、４４Ａ…無線通信回路、４１４…通知処理部、４１５…同期制御部、４４１…制御部、４４２…ＴＤＭＡ変復調部、４４３…無線通信部、４１１、４１１Ａ…ＥＥＰＲＯＭ、４４２２…一致検出部、４４２３…ＰＬＬ部、４４２４…キャリアセンス部
【図１】
0006458942.tif 000002
【図２】
0006458942.tif 000003
【図３】
0006458942.tif 000004
【図４】
0006458942.tif 000005
【図５】
0006458942.tif 000006
【図６】
0006458942.tif 000007
【図７】
0006458942.tif 000008
【図８】
0006458942.tif 000009
【図９】
0006458942.tif 000010
【図１０】
0006458942.tif 000011
【図１１】
0006458942.tif 000012
【図１２】
0006458942.tif 000013
【図１３】
0006458942.tif 000014
【図１４】
0006458942.tif 000015
【図１５】
0006458942.tif 000016
【図１６】
0006458942.tif 000017
【図１７】
0006458942.tif 000018